(57)【要約】【課題】ふるいの上のふるい対象の塊を自動的に崩して、コストの低減を図ることができるふるい補助装置およびふるい装置を提供する。【解決手段】ふるい２０は、支持部材１０により設置面に対して傾斜して支持されている。投入口３０は、支持部材１０に設けられて、ふるい２０の下端側上面の上方に配置されている。１対の回転軸４３ａ，４３ｂは、一方が動力により回転可能である。巻掛け媒介節４４は、回転軸４３ａ，４３ｂに巻き付けられている。基部４５は、回転軸４３ａ，４３ｂを回転可能に支持し、巻掛け媒介節４４をふるい２０の上面に沿って配置させて、支持部材１０に固定されている。摺動部４２は、巻掛け媒介節４４の外面に沿って巻掛け媒介節４４の移動方向を横切る方向に延び、回転軸４３ａ，４３ｂを駆動させたときふるい２０の上面下端側から上面上端側へと摺動可能に外面から突出して設けられている。【選択図】図１
2004249176.tif 000002
【特許請求の範囲】
【請求項１】
ふるいの上側に配置されて、ふるいの上のふるい対象をふるいの目を通して落とすためのふるい補助装置であって、
巻掛け伝動装置と摺動部とを有し、
前記巻掛け伝動装置は、一方が動力により回転可能な１対の回転軸と、前記回転軸に巻き付けられた巻掛け媒介節と、前記回転軸を回転可能に支持し前記巻掛け媒介節をふるいの上面に沿って配置可能な基部とを有し、
前記摺動部は、前記巻掛け媒介節の外面に沿って前記巻掛け媒介節の移動方向を横切る方向に延び、前記基部により前記巻掛け媒介節をふるいの上面に沿って配置させて駆動させたときふるいの上面に対して摺動可能に設けられていることを、
特徴とするふるい補助装置。
【請求項２】
支持部材と、ふるいと、ふるい対象の投入口と、請求項１記載のふるい補助装置とを有し、
前記ふるいは前記支持部材により設置面に対して傾斜して支持され、
前記投入口は前記支持部材に設けられて前記ふるいの下端側上面の上方に配置され、
前記基部は前記巻掛け媒介節を前記ふるいの上面に沿って配置させて前記支持部材に固定され、
前記回転軸は前記摺動部を前記ふるいの上面下端側から上面上端側へと摺動させるよう動力により回転可能に前記基部に設けられていることを、
特徴とするふるい装置。
【発明の詳細な説明】
【０００１】
【発明の属する技術分野】
本発明は、ふるい補助装置およびふるい装置に関する。
【０００２】
【従来の技術】
従来のふるい装置として、ふるいの目詰まりを防止するために、ふるいに振動や打撃を加えるものが知られている（例えば、特許文献１参照）。また、湿気を帯びてふるいの下面に付着している粉粒体を、下面からブラシで払い落とすものがある（例えば、特許文献２参照）。
【０００３】
【特許文献１】
特開２００３−１１９３号公報
【特許文献２】
特開平８−１１７６８９号公報
【０００４】
【発明が解決しようとする課題】
しかしながら、セメントや砂などのふるい対象は、ふるいの上面でしばしば塊状になる。塊状になった場合、特許文献１に示す従来技術のようにふるいに振動や打撃を加えたり、特許文献２に示す従来技術のようにふるいの下面からブラシでこすったりした程度では、塊を崩すことができなかった。ふるい対象の塊を放置すると、ふるいの上にふるい対象が溜まり、あふれてこぼれ落ちたり、重みでふるい装置に故障を起こしたりするおそれがある。そこで、従来、ふるいの傍に作業者を配置し、ふるいの上にふるい対象の塊ができたとき、その塊を崩してふるいにかけるのを助けていた。このため、従来は、作業者の人件費がかさむという課題があった。
【０００５】
本発明は、このような従来の課題に着目してなされたもので、ふるいの上のふるい対象の塊を自動的に崩して、コストの低減を図ることができるふるい補助装置およびふるい装置を提供することを目的とする。
【０００６】
【課題を解決するための手段】
上記目的を達成するために、本発明に係るふるい補助装置は、ふるいの上側に配置されて、ふるいの上のふるい対象をふるいの目を通して落とすためのふるい補助装置であって、巻掛け伝動装置と摺動部とを有し、前記巻掛け伝動装置は、一方が動力により回転可能な１対の回転軸と、前記回転軸に巻き付けられた巻掛け媒介節と、前記回転軸を回転可能に支持し前記巻掛け媒介節をふるいの上面に沿って配置可能な基部とを有し、前記摺動部は、前記巻掛け媒介節の外面に沿って前記巻掛け媒介節の移動方向を横切る方向に延び、前記基部により前記巻掛け媒介節をふるいの上面に沿って配置させて駆動させたときふるいの上面に対して摺動可能に設けられていることを、特徴とする。
【０００７】
本発明に係るふるい補助装置は、ふるいの上側に配置され、基部により巻掛け媒介節がふるいの上面に沿って配置される。１対の回転軸の一方が動力により回転すると、巻掛け媒介節がふるいの上面に沿って回転し移動する。巻掛け媒介節は、例えば、ベルト、チェーンなどから成る。巻掛け媒介節の回転とともに、摺動部は、ふるいの上面に対して摺動する。
【０００８】
ふるい対象をふるいにかけると、摺動部が摺動によりふるい対象の塊を自動的に崩し、ふるいにかけるのを助けることができる。本発明に係るふるい補助装置によれば、ふるい対象の塊を崩すために作業者を配置する必要がないため、作業者の人件費がかからず、コストの低減を図ることができる。なお、ふるい対象は、セメント、砂に限らず、他のものであってもよい。
【０００９】
本発明に係るふるい装置は、支持部材と、ふるいと、ふるい対象の投入口と、前述のふるい補助装置とを有し、前記ふるいは前記支持部材により設置面に対して傾斜して支持され、前記投入口は前記支持部材に設けられて前記ふるいの下端側上面の上方に配置され、前記基部は前記巻掛け媒介節を前記ふるいの上面に沿って配置させて前記支持部材に固定され、前記回転軸は前記摺動部を前記ふるいの上面下端側から上面上端側へと摺動させるよう動力により回転可能に前記基部に設けられていることを、特徴とする。
【００１０】
本発明に係るふるい装置は、使用の際、投入口にふるい対象を投入する。投入されたふるい対象は、ふるいの下端側上面の上に落ちる。１対の回転軸の一方が動力により回転すると、巻掛け媒介節がふるいの上面に沿って回転し移動する。巻掛け媒介節の回転とともに、摺動部はふるいの上面下端側から上面上端側へと摺動する。
【００１１】
摺動部は、摺動によりふるい対象の塊をふるいの傾斜した上面に沿って押し上げるようにしながら自動的に崩し、ふるいにかけるのを助けることができる。本発明に係るふるい装置によれば、ふるい対象の塊を崩すために作業者を配置する必要がないため、作業者の人件費がかからず、コストの低減を図ることができる。
【００１２】
【発明の実施の形態】
以下、図面に基づき、本発明の実施の形態について説明する。
図１乃至図１０は、本発明の実施の形態を示している。
図１乃至図５に示すように、ふるい装置１は、支持部材１０と、ふるい２０と、ふるい対象の投入口３０と、ふるい補助装置４０と、回転モーター５０とを有している。
【００１３】
支持部材１０は、１対の長い柱材１１と１対の中間柱材１２と１対の短い柱材１３と複数本の梁材１４，１５，１６，１７とを有している。支持部材１０は、ふるい２０およびふるい補助装置４０を取り囲むように枠組みを形成している。各柱材１１，１２，１３は、ふるい補助装置４０の左右両側の上部、中間部、下部を支持するよう対向して配置されている。梁材１４は各柱材１１および各柱材１２の上端を連結し、梁材１５は各柱材１３の上端を連結している。梁材１６は各柱材１３の上端と各柱材１２の上部とを連結し、梁材１７は各柱材１１，１２，１３の下部を連結している。各柱材１１，１２，１３および各梁材１４，１５，１６，１７の連結は、溶接により行われている。長い柱材１１および短い柱材１３は、下端に高さ調節可能な脚部１８を有している。
【００１４】
ふるい２０は、格子状の鉄製の網２１から成り、矩形状の鉄製の枠２２の内側に取り付けられている。ふるい２０は、支持部材１０により支持され、長い柱材１１から短い柱材１３に向かって下がるよう傾斜している。図１および図２に示すように、ふるい２０は、振動モーター２３と防振材２４とを有している。振動モーター２３は、ふるい２０の長手方向の両側部に取り付けられている。振動モーター２３は、ふるい２０を振動させるようになっている。それにより、ふるい対象を効果的にふるい２０の目を通して落とすことができる。防振材２４は、ゴム製で、ふるい２０と支持部材１０との接合部に４箇所取り付けられている。防振材２４は、振動モーター２３などによる振動を抑制することができる。
【００１５】
ふるい対象の投入口３０は、ホッパーから成り、上部の開口にスクリーン３１を有している。図５に示すように、スクリーン３１は、複数の細長い板材３１ａをふるい対象が通過可能な間隔を開けて配置して成っている。投入口３０は、支持部材１０の梁材１５，１６に設けられている。投入口３０は、投入されたふるい対象がふるい２０の上面に落ちるよう、ふるい２０の下端側上面の上方に傾斜して配置されている。
【００１６】
図１乃至図４に示すように、ふるい補助装置４０は、ふるい２０の上側に配置されている。図６乃至図１０に示すように、ふるい補助装置４０は、巻掛け伝動装置４１と摺動部４２とを有している。
【００１７】
巻掛け伝動装置４１は、１対の回転軸４３ａ，４３ｂと巻掛け媒介節４４と基部４５とを有している。１対の回転軸４３ａ，４３ｂは、それぞれシャフト４６と、シャフト４６の両端部に取り付けられた１対の軸受け４７と、シャフト４６の中央部に所定の間隔で取り付けられた１対の鎖歯車４８とを有している。一方の回転軸４３ａが回転モーター５０に接続され、回転モーター５０の動力により回転可能である。
【００１８】
巻掛け媒介節４４は、２本のチェーンから成り、２本のチェーンが互いに平行を成すよう各回転軸４３ａ，４３ｂの同じ側にある鎖歯車４８に巻き付けられている。基部４５は、各回転軸４３ａ，４３ｂの同じ側の軸受け４７どうしを連結するよう設けられ、各回転軸４３ａ，４３ｂを回転可能に支持している。基部４５は、巻掛け媒介節４４がふるい２０の上面に沿って配置されるよう、支持部材１０に固定されている。
【００１９】
摺動部４２は、断面Ｌ字状のゴム板から成り、巻掛け媒介節４４の外面に沿って設けられている。摺動部４２は、長手方向が巻掛け媒介節４４の移動方向を垂直に横切る方向に延び、巻掛け媒介節４４の外面（輪になった巻掛け媒介節４４の輪の外側面）から突出して設けられている。図１０に示すように、摺動部４２は、押え板４２ａ、Ｌ字型金具４２ｂおよびボルト４２ｃにより、一つの側面が巻掛け媒介節４４に接するよう取り付けられている。摺動部４２は、押え板４２ａとＬ字型金具４２ｂの一方の面との間に挟まれてボルト４２ｃで固定され、Ｌ字型金具４２ｂの他方の面と巻掛け媒介節４４とをボルト４２ｃで固定して取り付けられる。摺動部４２は、巻掛け媒介節４４の外面に沿って、等間隔で９箇所に設けられている。摺動部４２は、巻掛け媒介節４４を駆動させたとき、ふるい２０の上面に対して摺動可能に設けられている。
【００２０】
図１乃至図４に示すように、回転モーター５０は、支持部材１０の梁材１４に設けられており、ふるい補助装置４０の上端側の上方に配置されている。回転モーター５０は、駆動歯車５１と駆動チェーン５２とを有している。図８に示すように、駆動チェーン５２は、駆動歯車５１とふるい補助装置４０の一方の回転軸４３ａとに巻き付けられている。回転モーター５０は、駆動歯車５１の回転によりふるい補助装置４０の回転軸４３ａを回転させて、摺動部４２をふるい２０の上面下端側から上面上端側へと摺動させることができる。
【００２１】
次に、作用について説明する。
ふるい装置１は、例えば、コンクリート吹付機のセメント投入口にベルトコンベアー２などで接続して使用される。この場合、ふるい対象は、セメントや砂である。ふるい装置１は、使用の際、振動モーター２３を駆動し、投入口３０にふるい対象を投入する。投入されたふるい対象は、ふるい２０の下端側上面の上に落ちる。このとき、ふるい２０の目より小さいものは、ふるい２０の目を通って下に落ちる。また、振動モーター２３が、固結度の弱い塊を崩し、ふるい２０に付着したふるい対象をふるい２０の目から落とす。一方、ふるい２０の目より大きい塊状になったものは、ふるい２０の目を通って下に落ちずに、ふるい２０の上面に留まる。
【００２２】
回転モーター５０を駆動して一方の回転軸４３ａを回転すると、巻掛け媒介節４４がふるい２０の上面に沿って回転し移動する。巻掛け媒介節４４の回転とともに、摺動部４２はふるい２０の上面下端側から上面上端側へと摺動する。
【００２３】
摺動部４２は、摺動により、ふるい２０の上面に留まっているふるい対象の塊を、ふるい２０の傾斜した上面に沿って押し上げる。これにより、摺動部４２は、ふるい対象をふるい２０の目に嵌まっている位置で分断したり、ふるい対象をふるい２０の上面で移動させて衝撃を加えたりして、ふるい対象を自動的に崩す。崩されたふるい対象は、ふるい２０の目を通って下に落ちる。こうして、摺動部４２は、ふるい対象をふるい２０にかけるのを助けることができる。なお、ふるい２０にかけられたふるい対象は、ふるい２０の下方に配置されたベルトコンベアー２により、コンクリート吹付機のセメント投入口などに運ばれて、法面へのコンクリート吹付けなどに使用される。
【００２４】
ふるい補助装置４０およびふるい装置１は、ふるい対象の塊を崩すために作業者を配置する必要がないため、作業者の人件費がかからず、コストの低減を図ることができる。
【００２５】
なお、ふるい補助装置４０およびふるい装置１は、コンクリート吹付機と共に用いる場合に限らず、他のふるいにかける用途にも用いることができる。この場合、ふるい対象は、セメント、砂に限らず、粉状食品その他のものであってもよい。
【００２６】
【発明の効果】
本発明によれば、ふるいの上のふるい対象の塊を自動的に崩して、コストの低減を図ることができるふるい補助装置およびふるい装置を提供することができる。
【図面の簡単な説明】
【図１】本発明の実施の形態のふるい装置を示す側面図である。
【図２】図１に示すふるい装置の平面図である。
【図３】図１に示すふるい装置の正面端面図である。
【図４】図１に示すふるい装置の背面端面図である。
【図５】図１に示すふるい装置に取り付けられる投入口のスクリーンの平面図である。
【図６】本発明の実施の形態のふるい補助装置を示す平面図である。
【図７】図６に示すふるい補助装置の正面端面図である。
【図８】図６に示すふるい補助装置の背面端面図である。
【図９】図６に示すふるい補助装置のＡ−Ａ断面端面図である。
【図１０】図６に示すふるい補助装置のＢ−Ｂ断面端面図である。
【符号の説明】
１    ふるい装置
１０  支持部材
１１，１２，１３  柱材
１４，１５，１６，１７  梁材
１８  脚部
２０  ふるい
２１  網
２２  枠
２３  振動モーター
２４  防振材
３０  投入口
３１  スクリーン
４０  ふるい補助装置
４１  巻掛け伝動装置
４２  摺動部
４３ａ，４３ｂ  回転軸
４４  巻掛け媒介節
４５  基部
４６  シャフト
４７  軸受け
４８  鎖歯車
５０  回転モーター
５１  駆動歯車
５２  駆動チェーン
【図１】
2004249176.tif 000003
【図２】
2004249176.tif 000004
【図３】
2004249176.tif 000005
【図４】
2004249176.tif 000006
【図５】
2004249176.tif 000007
【図６】
2004249176.tif 000008
【図７】
2004249176.tif 000009
【図８】
2004249176.tif 000010
【図９】
2004249176.tif 000011
【図１０】
2004249176.tif 000012